(57)【特許請求の範囲】
【請求項１】
布帛を設置及び除去可能であって、設置された布帛を下方から支持する交換可能な支持面を有した支持部と、
前記支持面上の布帛にインクを吐出するインク吐出部と、
外部から入力される画像データを受信する画像データ受信手段と、
前記インク吐出部からインクを吐出して、前記支持面上に支持された布帛に前記画像データ受信手段が受信した画像データを印刷する通常印刷と、前記支持面上に布帛の位置決めに使用する位置決め情報を印刷する位置決め情報印刷とを制御する印刷制御手段と
を備えたことを特徴とする布帛印刷装置。
【請求項２】
前記位置決め情報を記憶する位置決め情報記憶手段を備えたことを特徴とする請求項１に記載の布帛印刷装置。
【請求項３】
前記位置決め情報記憶手段に記憶された位置決め情報は、前記支持面に布帛を設置するときに布帛の設置位置を案内する情報であり、前記布帛の形式に対応したパターンを複数記憶していることを特徴とする請求項２に記載の布帛印刷装置。
【請求項４】
前記位置決め情報記憶手段に記憶された位置決め情報は、前記布帛のサイズに応じて設置位置を示す複数のラインから構成されていることを特徴とする請求項２又は３に記載の布帛印刷装置。
【請求項５】
前記位置決め情報の印刷に用いる色は、Ｌ＊値が７０以下であることを特徴とする請求項１乃至４の何れかに記載の布帛印刷装置。
【請求項６】
前記印刷制御手段は、布帛印刷装置に接続されたコンピュータから指示された位置決め情報を前記支持面上に、前記インク吐出部からインクを吐出させて印刷することを特徴とする請求項１乃至５の何れかに記載の布帛印刷装置。
【請求項７】
前記位置決め情報印刷時に、前記支持面の有無を検出する支持面検出手段を備え、
当該支持面検出手段が、前記支持面が有ることを検出した場合には、前記印刷制御手段は前記位置決め情報印刷を行い、
当該支持面検出手段が、前記支持面が無いことを検出した場合には、前記印刷制御手段は前記位置決め情報印刷を行わないことを特徴とする請求項１乃至６の何れかに記載の布帛印刷装置。
【発明の詳細な説明】
【技術分野】
【０００１】
本発明は、布帛を印刷する布帛印刷装置に関するものであり、詳細には、布帛を設置及び除去可能であって、設置された布帛を下方から支持する支持面を有した支持部を備えた布帛印刷装置に関するものである。
【背景技術】
【０００２】
従来、布帛をプラテン（支持部）上に設置して、当該布帛にインクジェットヘッドからインクを吐出して所望の画像を形成する布帛印刷装置が提案されている（例えば、特許文献１参照）。この特許文献１に記載の布帛印刷装置では、プラテンは、平面状に形成された支持面を有しており、この支持面に布帛を固定しやすくする為に、摩擦係数の大きいシート状の木綿布を支持面上に設けている。この布帛印刷装置では、一般に被印刷媒体の布帛のほうが支持面より大きく、操作者は支持面に布帛を着せるようにセットしている。
【０００３】
また、書類の指定された場所に文字や図を印刷する際に、スキャナなどのイメージ入力装置を用いなくても、位置決めを容易にすることができる印刷位置決めプログラムが知られている（例えば、特許文献２参照）。この印刷位置決めプログラムでは、ＯＨＰシートや紙などに、座標を特定できるようにグリッド線を印刷し、そのグリッド線が印刷されたＯＨＰシートや紙を印刷用紙に重ね合わせ、印刷したい場所の座標を読み取ることができるようにしている。
【特許文献１】特開２００４−２９１４３０号公報
【特許文献２】特開２００５−２４６６２０号公報
【発明の開示】
【発明が解決しようとする課題】
【０００４】
しかしながら、特許文献１に記載の布帛印刷装置では、被印刷媒体の布帛は、縫製済みであっても、サイズが紙のように厳格な規格通りではない。例えば、布帛の一例としてのＴシャツでは、子供用、大人用、ＸＳからＸＸＬまで、さまざまなサイズがあり、また、種類によっても、地域によっても、大きさは異なる。このため、操作者は、印刷データを作成するアプリケーション上で最大印刷面積に対し、印刷データのレイアウト（大きさ・位置）をまず決定し、その後、被印刷媒体である布帛を搬送手段に固定する際に、実際にはどの位置にどれぐらいの大きさで印刷されるのかを想像しながら被印刷媒体を搬送手段に保持させる必要があり、操作が煩雑になるという問題点があった。
【０００５】
また、操作者は搬送手段に布帛を保持させる際に、経験により位置決めを行っていた。中央に大きめの印刷データを印刷するのに比べ、特に、ワンポイントなどの小さな印刷データを胸のワンポイントとして印刷する場合、最適な位置に印刷することは困難であった。なぜなら、搬送手段と布帛の大きさがほぼ等しければ位置合わせは比較的簡単であるが、布帛がＸＬ以上になると、通常通り中央に布帛をセットした場合、最適な胸のワンポイント位置が最大印刷範囲からはみ出してしまい、中心位置をずらしてセットする必要があるからである。
【０００６】
本発明は、上記課題を解決するためになされたものであり、布帛を支持面に固定する場合に、位置決めを容易にすることができる布帛印刷装置を提供することを目的とする。
【課題を解決するための手段】
【０００７】
上記課題を解決するため、請求項１に係る発明の布帛印刷装置では、布帛を設置及び除去可能であって、設置された布帛を下方から支持する交換可能な支持面を有した支持部と、前記支持面上の布帛にインクを吐出するインク吐出部と、外部から入力される画像データを受信する画像データ受信手段と、前記インク吐出部からインクを吐出して、前記支持面上に支持された布帛に前記画像データ受信手段が受信した画像データを印刷する通常印刷と、前記支持面上に布帛の位置決めに使用する位置決め情報を印刷する位置決め情報印刷とを制御する印刷制御手段とを備えている。
【０００８】
また、請求項２に係る発明の布帛印刷装置では、請求項１に記載の発明の構成に加えて、前記位置決め情報を記憶する位置決め情報記憶手段を備えている。
【０００９】
また、請求項３に係る発明の布帛印刷装置では、請求項２に記載の発明の構成に加えて、前記位置決め情報記憶手段に記憶された位置決め情報は、前記支持面に布帛を設置するときに布帛の設置位置を案内する情報であり、前記布帛の形式に対応したパターンを複数記憶していることを特徴とする。
【００１０】
また、請求項４に係る発明の布帛印刷装置では、請求項２又は３に記載の発明の構成に加えて、前記位置決め情報記憶手段に記憶された位置決め情報は、前記布帛のサイズに応じて設置位置を示す複数のラインから構成されていることを特徴とする。
【００１１】
また、請求項５に係る発明の布帛印刷装置では、請求項１乃至４の何れかに記載の発明の構成に加えて、前記位置決め情報の印刷に用いる色は、Ｌ＊値が７０以下であることを特徴とする。
【００１２】
また、請求項６に係る発明の布帛印刷装置では、請求項１乃至５の何れかに記載の発明の構成に加えて、前記印刷制御手段は、布帛印刷装置に接続されたコンピュータから指示された位置決め情報を前記支持面上に、前記インク吐出部からインクを吐出させて印刷することを特徴とする。
【００１３】
また、請求項７に係る発明の布帛印刷装置では、請求項１乃至６の何れかに記載の発明の構成に加えて、前記位置決め情報印刷時に、前記支持面の有無を検出する支持面検出手段を備え、当該支持面検出手段が、前記支持面が有ることを検出した場合には、前記印刷制御手段は前記位置決め情報印刷を行い、当該支持面検出手段が前記支持面が無いことを検出した場合には、前記印刷制御手段は前記位置決め情報印刷を行わないことを特徴とする。
【発明の効果】
【００１４】
請求項１に係る発明の布帛印刷装置では、まず、布帛を支持部の支持面上に固定するときに位置合わせが容易になるように、印刷制御手段が、位置決め情報印刷として布帛の位置決めに使用する位置決め情報を支持面上に印刷することができる。使用者は、この支持面上に印刷された位置決め情報に従って、布帛を支持部の支持面上に固定することができる。その後、インク吐出部からインクを吐出して、支持面上に支持された布帛に画像データ受信手段が受信した画像データを印刷する通常印刷を行うことができる。従って、布帛のサイズ、デザインに拘わらず、布帛を支持部の支持面上に容易に位置合わせして固定することができる。  
【００１５】
また、請求項２に係る発明の布帛印刷装置では、請求項１に記載の発明の効果に加えて、位置決め情報記憶手段に位置決め情報が記憶され、当該位置決め情報記憶手段から読み出した位置決め情報を支持面上に印刷することができる。従って、予め位置決め情報記憶手段に各種の布帛に対応した位置決め情報を記憶しておくことができる。
【００１６】
また、請求項３に係る発明の布帛印刷装置では、請求項２に記載の発明の効果に加えて、位置決め情報記憶手段には、布帛の形式に対応して布帛を支持面に設置するときに布帛の設置位置を案内する情報のパターンを複数記憶しているので、その複数のパターンの中から印刷する布帛の形式にあったパターンを支持部の支持面上に印刷することができる。
【００１７】
また、請求項４に係る発明の布帛印刷装置では、請求項２又は３に記載の発明の効果に加えて、位置決め情報記憶手段に記憶された位置決め情報は、布帛のサイズに応じて設置位置を示す複数のラインから構成されているので、１つの種類の位置決め情報を支持部の支持面上に印刷することにより、同じデザインでサイズの異なる複数の布帛に対応することができる。
【００１８】
また、請求項５に係る発明の布帛印刷装置では、請求項１乃至４の何れかに記載の発明の効果に加えて、前記位置決め情報の印刷に用いる色は、Ｌ＊値が７０以下であるので、支持部の支持面上に印刷された位置決め情報の視認性を向上することができる。
【００１９】
また、請求項６に係る発明の布帛印刷装置では、請求項１乃至５の何れかに記載の発明の効果に加えて、布帛印刷装置に接続されたコンピュータから指示された位置決め情報を支持面上に、前記インク吐出部からインクを吐出させて印刷することができるので、布帛印刷装置側での操作を必要としない。
【００２０】
また、請求項７に係る発明の布帛印刷装置では、請求項１乃至６の何れかに記載の発明の効果に加えて、位置決め情報印刷時に、支持面の有無を検出する支持面検出手段を備えているので、当該支持面検出手段により支持面が無いことが検出された場合には、位置決め情報の印刷を中止することができる。
【発明を実施するための最良の形態】
【００２１】
以下、本発明の第１の実施の形態を図面を参照して説明する。図１は、布帛印刷装置１の全体的な構成を示した斜視図である。本発明に係る布帛印刷装置の一例としては、パーソナルコンピュータ２００（図６参照）に接続され、当該パーソナルコンピュータ２００で作成された印刷データを受信し、その印刷データの印刷を行う布帛印刷用のインクジェットプリンタである布帛印刷装置１を例に挙げて説明する。尚、第１の実施の形態の布帛印刷装置１では、ＣＭＹＫ方式による４種類のインク、即ち、シアンインク，マゼンタインク，イエローインク，ブラックインクが用いられている。
【００２２】
この布帛印刷装置１では、布帛に画像データを印刷する「通常印刷」と、支持面であるシート状部材５０上に布帛の位置決めに使用する位置決め情報を印刷する「位置決め情報印刷」とを行うことを特徴としている。
【００２３】
まず、布帛印刷装置１について図１を参照して説明する。布帛印刷装置１は、左右方向を長手方向とする略直方体形状の筐体２を有し、その底面の略中央に、前後方向に向かう二本のレール３が列設されている。二本のレール３は、筐体２の垂直方向に立ち上げられた図示外の基部上にそれぞれ支持されており、その上部に、レール３に沿って筐体２の前後方向に移動可能な平板状のプラテン支持台（図示外）を支えている。そして、プラテン支持台の略中央に垂直に立ち上げられた支柱の上端には、取り換え可能なプラテン５が固定されている。尚、プラテン５が請求項にいう「支持部」に相当する。
【００２４】
プラテン５は、平面視、筐体２の前後方向を長手方向とする略長方形状の板体であり、プラテン５の上面には、印刷面を緊張状態にして設置されるＴシャツ等の設置位置が印刷中にずれたりしないようにするための支持面を形成する木綿布からなるシート状部材５０が設けられている。このシート状部材５０の上面に、例えばＴシャツなどの布帛からなる被記録媒体が水平に設置される。尚、「シート状部材５０」が請求項にいう「支持面」に相当する。
【００２５】
また、プラテン５とプラテン支持台との間の略中間の位置にて支柱に固定されたトレー４は、プラテン５の上面と略平行な底面を有し、平面視、その外周がプラテン５より一回り大きめに構成されたトレーである。このトレー４は、利用者がＴシャツ等をプラテン５に設置する際に、Ｔシャツのそで等を受けて筐体２の底面には落ちないように保護するためのものである。
【００２６】
また、プラテン支持台を移動させるためにレール３が設けられたプラテン駆動機構６の後端部にはプラテン駆動モータ７が設けられて、このプラテン駆動モータ７の駆動によって、プラテン支持台がレール３に沿って筐体２の前後方向に移動する。すなわち、プラテン駆動モータ７の駆動軸と、レール３の前端（筐体２の前面側にあたるレール３の端部）付近に設けられたプーリー（図示外）との間に駆動ベルト（図示外）が架け渡されており、その駆動ベルトに固定されたプラテン支持台が、ステッピングモータであるプラテン駆動モータ７の駆動によってレール３に沿って筐体２の前後方向に往復移動されるようになっている。
【００２７】
また、筐体２の前後方向の略中央で、かつ、プラテン５の上方の位置にて、筐体２の両側面間には、インクジェットヘッド２１ａ〜２１ｄを搭載したキャリッジ２０の移動を案内するためのガイドレール９が架設されている。このガイドレール９の左端付近に設けられたキャリッジモータ２４と、右端付近に設けられたプーリー２５との間に架設されているキャリッジベルト２６は、ガイドレール９よりも下方の位置にて筐体２の左右にわたって配置されている。キャリッジベルト２６はキャリッジ２０の背面に固定されており、キャリッジモータ２４の駆動によって、同じく背面に設けられた係合部（図示外）に係合されたガイドレール９に沿って、キャリッジ２０が筐体２の左右方向に往復移動されるようになっている。キャリッジモータ２４はＤＣモータであり、ガイドレール９に設けられたリニアエンコーダ（図示外）からの出力に基づき、キャリッジ２０の位置検出が行われる。
【００２８】
また、本実施の形態の布帛印刷装置１では、シアンインク，マゼンタインク，イエローインク，ブラックインクが用いられている。そこで、布帛印刷装置１の左側面には、各インクを収容したインクカートリッジを着脱可能に収容するためのインクカートリッジ収容部３０ａ〜３０ｄがそれぞれ設けられている。図１に示すように、筐体２の前側から順にインクカートリッジ収容部３０ａ、インクカートリッジ収容部３０ｂ、インクカートリッジ収容部３０ｃ、インクカートリッジ収容部３０ｄの４つのインクカードリッジ収容部３０ａ〜３０ｄが設けられており、インクカートリッジ収容部３０ａ〜３０ｄには、それぞれブラックインクのインクカートリッジ、シアンインクのインクカートリッジ、マゼンタインクのインクカートリッジ、イエローインクのインクカートリッジが収容されている。
【００２９】
そして、各インクカートリッジ収容部３０ａ〜３０ｄには、インク供給用チューブ１０ａ，１０ｂ，１０ｃ，１０ｄが連結されており、ガイド部材４０及びチューブ支持部材６０を経由して、各色のインクジェットヘッド２１ａ〜２１ｄに接続されている。尚、このインク供給用チューブ１０ａ〜１０ｄは、ポリエチレン等からなる可撓性のチューブであり、布帛印刷装置１において、キャリッジ２０の移動等に対応して屈曲や捩れが生じるような柔軟性を有する。また、ガイド部材４０は、筐体２の左右方向の略中央であって、プラテン５の上方の位置に設けられ、キャリッジ２０の背後において４本のインク供給用チューブ１０ａ〜１０ｄを支持するものである。そして、チューブ支持部材６０は、キャリッジ２０の上端に設けられて４本のインク供給用チューブ１０ａ〜１０ｄを支持するものである。
【００３０】
キャリッジ２０には、左側からインクジェットヘッド２１ａ、インクジェットヘッド２１ｂ、インクジェットヘッド２１ｃ、インクジェットヘッド２１ｄの順でインクジェットヘッド２１ａ〜２１ｄが搭載されている。インクジェットヘッド２１ａ〜２１ｄは、各インクを噴射するための、噴射チャンネル（図示外）を例えば１２８個ずつそれぞれ備えており、各噴射チャンネルには、各々個別に駆動される圧電アクチュエータ（図示外）が設けられ、各噴射チャンネルに対応してインクジェットヘッド２１ａ〜２１ｄの底面に孔設された微細な噴射ノズル（図示外）から下向きに、インクの液滴が噴射されるように制御されている。
【００３１】
よって、インクカートリッジ収容部３０ａに収容されているブラックインクが、インク供給用チューブ１０ａによってインクジェットヘッド２１ａに供給され、噴射ノズルから噴射される。そして、インクカートリッジ収容部３０ｂに収容されているシアンインクが、インク供給用チューブ１０ｂによってインクジェットヘッド２１ｂに供給され、噴射ノズルから噴射される。そして、インクカートリッジ収容部３０ｃに収容されているマゼンタインクが、インク供給用チューブ１０ｃによってインクジェットヘッド２１ｃに供給され、噴射ノズルから噴射される。そして、インクカートリッジ収容部３０ｄに収容されているイエローインクが、インク供給用チューブ１０ｄによってインクジェットヘッド２１ｄに供給され、噴射ノズルから噴射される。
【００３２】
また、キャリッジ２０がガイドレール９の右端に移動した位置には、各インクジェットヘッド２１ａ〜２１ｄのノズル面に対して密着・離脱が可能な吸引キャップ２３を有するパージユニット２２が設けられている。パージユニット２２には吸引ポンプ（図示外）が設けられており、各吸引キャップ２３がインクジェットヘッド２１ａ〜２１ｄに密着しているときに、吸引キャップ２３を介してインクの吸引を行うことが可能となっている。また、印刷が行われないときには吸引キャップ２３でインクジェットヘッド２１ａ〜２１ｄのノズル面が覆われ、インクの乾燥が防止されている。
【００３３】
尚、ガイドレール９よりも前方の位置にて筐体２の左右にわたってクリアランスセンサ８が設けられている。クリアランスセンサ８は、記録実行時にプラテン５がレール３に沿って筐体２の前方から後方へ移動する際に、プラテン５に設置された被記録媒体の皺やゴミなどの障害物を検出する。
【００３４】
また、筐体２の右側手前の位置には、布帛印刷装置１の操作を行うための操作パネル２８が設けられている。ここで、図２を参照して、操作パネル２８について説明する。図２は、操作パネル２８の平面図である。図２に示すように、操作パネル２８の上部には、左から順に電源ランプ１７２、データランプ１７３、エラーランプ１７４が設けられている。この電源ランプ１７２は布帛印刷装置１に電源が投入されている際に点灯し、データランプ１７３はパーソナルコンピュータ２００から印刷データを受信している際に点灯し、エラーランプ１７４はなんらかのエラーが発生している際に点灯する。そして、電源ランプ１７２の下には、プラテン送りボタン１８８が設けられており、このプラテン送りボタン１８８が押下されると被記録媒体であるＴシャツ等の布帛をセット又は取り外し可能な位置にプラテン５が移動する。
【００３５】
さらに、プラテン送りボタン１８８の下部にはディスプレイ１７５が設けられている。このディスプレイ１７５には、パーソナルコンピュータ２００から印刷データを受信中であることを示す表示、印刷データを受信後に印刷待機中である表示、印刷データを印刷中であることの表示、及び、印刷が完了した印刷データのデータ名やサイズ等の情報の表示等がなされる。また、ディスプレイ１７５には、各種設定を行うためのメニュー画面（図示外）が表示されたり、エラー発生時にはエラーの内容が表示されたりする。さらに、ディスプレイ１７５には、シート状部材５０上に印刷する位置決め情報のレイアウトデータが表示される。また、ディスプレイ１７５の右には、上から順に上矢印ボタン１８５、ＯＫボタン１８７、下矢印ボタン１８６が設けられ、ディスプレイ１７５の下部には、中止ボタン１８３及びメニューボタン１８４が設けられている。このメニューボタン１８４が押下されるとディスプレイ１７５にメニュー画面が表示され、上矢印ボタン１８５は、ディスプレイ１７５に表示されているカーソルを上へ移動させ、下矢印ボタン１８６はカーソルを下へ移動させる。また、ＯＫボタン１８７が押下されると、カーソルが選択している項目が確定される。
【００３６】
また、操作パネル２８の下部には印刷開始を指示するための印刷ボタン１８２が設けられており、印刷ボタン１８２が押下されると、パーソナルコンピュータ２００から受信した印刷データの印刷が開始され、印刷中に中止ボタン１８３が押下されると印刷が中止される。
【００３７】
次に、図３乃至図５を参照して、布帛印刷装置１の電気的構成について説明する。図３は、本実施の形態の布帛印刷装置１の電気的構成を示すブロック図であり、図４は、ＲＯＭ１２０の記憶エリアを示す概念図であり、図５は、ＲＡＭ１３０の記憶エリアを示す概念図である。
【００３８】
図３に示すように、布帛印刷装置１には、布帛印刷装置１の主制御を司るＣＰＵ１１０が設けられており、ＣＰＵ１１０には、バス１９０を介し、ＲＯＭ１２０、ＲＡＭ１３０等が接続されている。
【００３９】
またＣＰＵ１１０には、バス１９０を介して、インク噴射を行うインクジェットヘッド２１ａ〜２１ｄの各噴射チャンネルに設けられた圧電アクチュエータ（図示外）を駆動させるためのヘッド駆動部１４０と、インクジェットヘッド２１ａ〜２１ｄを搭載したキャリッジ２０を駆動するためのキャリッジモータ２４、印刷時に被印刷対象の布帛であるＴシャツを保持するプラテン５を送り出すタイミングや速度を調整するプラテンローラ（図示外）を駆動するためのプラテン駆動モータ７をそれぞれ制御して駆動させるためのモータ駆動部１５０と、パーソナルコンピュータ２００を含めた外部機器にＵＳＢケーブル（図示外）で接続して通信が行えるようにするためのＵＳＢインターフェース１６０とが接続されている。尚、ＣＰＵ１１０が、請求項にいう「印刷制御手段」に相当し、ＵＳＢインターフェース１６０が請求項にいう「画像データ受信手段」に相当する。
【００４０】
さらに、操作パネル２８（図１，図２参照）に設けられたディスプレイ１７５、電源ランプ１７２、データランプ１７３、エラーランプ１７４の表示処理を行う表示制御部１７０がバス１９０を介してＣＰＵ１１０に接続されている。また、プラテン５上にシート状部材５０が装着されているか否かを検出する光電子センサ１８１、印刷ボタン１８２、中止ボタン１８３、メニューボタン１８４、上矢印ボタン１８５、下矢印ボタン１８６、ＯＫボタン１８７、プラテン送りボタン１８８の入力の検知を行う入力検知部１８０が、バス１９０を介してＣＰＵ１１０に接続されている。尚、光電子センサ１８１は、一例としてＣＣＤ、フォトトランジスタ、ＣｄＳ等により構成され、キャリッジ２０にプラテン５に対向するように設けられている。従って、プラテン５に表の白いシート状部材５０が設置されている場合には、検出光量が増加し、プラテン５にシート状部材５０が設置されていない場合には、検出光量が減少する。この光電子センサ１８１が、請求項にいう「支持面検出手段」に相当する。尚、キャリッジ２０には、発光ダイオード等の発光手段を設けて、その発光手段の光のプラテン５の表面（シート状部材５０が設置されている場合には、シート状部材５０の表面）での反射を前記光電子センサ１８１により検出するようにしても良い。
【００４１】
次に、図４を参照して、ＲＯＭ１２０の記憶エリアについて説明する。図４に示すように、ＲＯＭ１２０には、布帛印刷装置１の動作を制御するための制御プログラム等や、印刷処理を実行するための印刷実行プログラムを記憶したプログラム記憶エリア１２１と、プログラムの実行に必要な設定や初期値、データ等の情報を記憶したプログラム関係情報記憶エリア１２２と、シート状部材５０に印刷する位置決め情報を複数記憶する位置決め情報記憶エリア１２３が設けられている。さらに、ＲＯＭ１２０には、図示外の各種記憶エリアが設けられている。尚、ＲＯＭ１２０の位置決め情報記憶エリア１２３が請求項にいう「位置決め情報記憶手段」に相当する。この位置決め情報記憶エリア１２３には、ワイシャツ、ブラウス、作業服、Ｔシャツ、トレーナー等の布帛の形式に対応したパターンを複数記憶している。
【００４２】
また、図５に示すように、布帛印刷装置１のＲＡＭ１３０には、パーソナルコンピュータ２００から受信した印刷データを記憶する受信印刷データ記憶エリア１３１と、印刷ボタン１８２の押下により印刷が実行されている印刷データを記憶する印刷中データ記憶エリア１３２と、各種設定情報が記憶される設定情報記憶エリア１３３と、シート状部材５０の検出結果が記憶されるシート状部材検出情報記憶エリア１３４等が設けられている。さらに、ＲＡＭ１３０には、図示外の各種記憶エリアが設けられている。
【００４３】
次に、図６乃至図８を参照して、パーソナルコンピュータ２００について説明する。図６は、パーソナルコンピュータ２００の電気的構成を示すブロック図であり、図７は、パーソナルコンピュータ２００のＲＡＭ２３０の概念図であり、図８は、パーソナルコンピュータ２００のハードディスクドライブ（以下、「ＨＤＤ」という。）２５０の概念図である。図６に示す、パーソナルコンピュータ２００は、例えばＵＳＢ等の規格に基づく通信ケーブルによって布帛印刷装置１に接続されており、グラフィックソフトで作成された画像データやスキャナで取り込まれた画像データ、デジタルカメラで撮影された画像データ等の各種画像データを印刷するための印刷データを画像データに基づいて作成し、作成された印刷データを布帛印刷装置１へ送信する。
【００４４】
図６に示すように、パーソナルコンピュータ２００には、パーソナルコンピュータ２００の制御を司るＣＰＵ２１０が設けられている。このＣＰＵ２１０には、バス２９０を介し、ＣＰＵ２１０が実行するＢＩＯＳ等のプログラムを記憶したＲＯＭ２２０と、データを一時的に記憶するＲＡＭ２３０と、データの記憶媒体であるＣＤ−ＲＯＭ２４１を挿入し、データの読み込みを行うＣＤ−ＲＯＭドライブ２４０と、データの記憶装置であるＨＤＤ２５０とが接続されている。
【００４５】
さらに、ＣＰＵ２１０には、バス２９０を介して、布帛印刷装置１を含めた外部機器との通信を行うためのＵＳＢインターフェース２６０と、利用者に操作画面を表示するためのモニタ２７１の画面表示処理を行う表示制御部２７０と、利用者が操作の入力を行うキーボード２８１及びマウス２８２等が接続され、それらの入力の検知を行う入力検知部２８０とが接続されている。なお、パーソナルコンピュータ２００には、図示外のフロッピー（登録商標）ディスクドライブ、音声等の入出力部、各種インターフェース等も設けられている。
【００４６】
なお、ＣＤ−ＲＯＭ２４１には、印刷データ作成プログラムや、このプログラムの実行時に使用される設定やデータ等が記憶されており、導入時には、ＣＤ−ＲＯＭ２４１からＨＤＤ２５０に設けられたプログラム記憶エリア２５１（図８参照）やプログラム関係情報記憶エリア２５２（図８参照）に記憶されるようになっている。尚、パーソナルコンピュータ２００の印刷データ作成プログラム及びその使用データ等の取得方法はＣＤ−ＲＯＭ２４１によるものに限らず、フロッピー（登録商標）ディスクやＭＯといった他の記録媒体であっても良く、また、パーソナルコンピュータ２００をネットワークに接続させ、ネットワーク上の他の端末から取得してもよい。
【００４７】
尚、図７に示すように、ＲＡＭ２３０には、印刷データを作成する画像データを一時的に記憶する入力画像データ記憶エリア２３１、印刷データ作成プログラムによって画像データに基づいて作成された印刷データを記憶する印刷データ記憶エリア２３２、プログラムの実行中の一時的なデータを記憶するプログラム実行時情報記憶エリア２３３等が設けられている。さらに、ＲＡＭ２３０には図示外の各種記憶エリアが設けられている。
【００４８】
また、図８に示すように、ＨＤＤ２５０には、印刷データ作成プログラムを始めとするパーソナルコンピュータ２００で実行される各種のプログラムを記憶するプログラム記憶エリア２５１、カラーマッチング用プロファイル（色変換テーブル）等のプログラムの実行に必要な設定や初期値、データ等の情報を記憶したプログラム関係情報記憶エリア２５２、画像データを記憶する画像データ記憶エリア２５３等が設けられている。さらにＨＤＤ２５０には、図示外の各種記憶エリアが設けられている。尚、プログラム記憶エリア２５１には、ワイシャツ、ブラウス、作業服、Ｔシャツ、トレーナー等の布帛の形式に対応したパターンの複数の位置決め情報も記憶されている。従って、ＨＤＤ２５０のプログラム記憶エリア２５１は請求項にいう「位置決め情報記憶手段」に相当する。
【００４９】
したがって、本第１の実施の形態の布帛印刷装置１では、パーソナルコンピュータ２００において印刷データ作成プログラムが実行されて印刷データが送信されて来ると、当該印刷データを受信すると共にデータランプ１７３が点灯し、ディスプレイ１７５には印刷データの情報が表示される。そして、印刷データの受信が完了し、操作者がプラテン５へ布帛の一例であるＴシャツをセットし、印刷ボタン１８２が押下されると、まずキャリッジ２０の移動経路が記録開始位置となるように、プラテン５がプラテン駆動モータ７の駆動によってレール３に沿って筐体２の後方に移動される。そして、キャリッジ２０が筐体２の右方向から左方向へ移動しながら、記録指示に従ってインクジェットヘッド２１ａ〜２１ｄからインクを吐出して１ラインの記録が行われる。そして、１ライン分プラテン５が筐体２の後方から前方へ移動され、次いで、キャリッジ２０が筐体２の左方向から右方向へ移動しながら、記録指示に従ってインクジェットヘッド２１ａ〜２１ｄからインクを吐出して１ラインの記録が行われる。そしてさらに１ライン分プラテン５が筐体２の後方から前方へ移動される。これらの動作が繰り返されることによって、Ｔシャツへの印刷が行われる。そして、印刷が終了すると、プラテン５がＴシャツを取り外し可能な位置まで送り出されるので、操作者は印刷の終了したＴシャツを取り外す。尚、１回の走査で印刷される１ラインの高さ（プラテン５の移動方向のピクセル数）は、１ピクセルであっても、複数のピクセルであってもよい。
【００５０】
本実施の形態の布帛印刷装置１では、前述したように、シアンインク，マゼンタインク，イエローインク，ブラックインクの４種のインクを用いて印刷が行われるようになっている。そして、印刷は、「通常印刷」と「位置決め情報印刷」とが可能となっている。「通常印刷」では、パーソナルコンピュータ２００において作成された印刷データをインクジェットヘッド２１ａ〜２１ｄを用いてＴシャツ等の布帛上に印刷を行う。また、「位置決め情報印刷」では、プラテン５に設置されたシート状部材５０に対して、布帛を固定する位置を示す複数のライン等からなる位置決め情報を印刷する。
【００５１】
次に、位置決め情報の印刷色について説明する。位置決め情報の印刷用に用いるインクの色は、視認性を考慮し、明度差・彩度差が十分あり、かつ、にじみや被印刷媒体である布帛を汚すことのない液滴量であることが必要である。具体的には、明度差からＬ＊値７０以下であること（被印刷媒体のＬ＊値は白色もので９０以上の場合）が望ましい。
【００５２】
また、視認性を確保するためには、位置決め情報の印刷用に用いるインクの色は、色相が青や黒だと「影の色」となり見づらくなるので、赤みの黄（オレンジ）から紫みの赤で、ａ＊値＋３０以上が望ましい。一例としては、紫みの赤（濃いめのピンク）を用いて、液滴量としては、にじみ・裏移りを防止する意味で、マゼンタインク３０％（シート状部材５０に印刷した時のＬ＊ａ＊ｂ＊値：Ｌ＊＝５７．８０、ａ＊＝４９．６８、ｂ＊＝７．２０、Ｘ−Ｒｉｔｅ分光濃度計９３９使用）を用いた。また、布帛（厚手の被印刷媒体）として、Ｈａｎｅｓ（登録商標）社のＢｅｅｆｙ−Ｔ（登録商標）６．１オンス白を用いた場合の視認性を基準にしている。
【００５３】
次に、図９乃至図１１を参照して、パーソナルコンピュータ２００での画像データの作成及び位置決め情報の設定について説明する。図９は、パーソナルコンピュータ２００で行われる画像データの作成から布帛印刷装置１への画像データの送信までの処理を示すフローチャートであり、図１０は、パーソナルコンピュータ２００に組み込まれている布帛印刷装置１用のプリンタドライバのメニュー画面の位置決め情報の印刷設定をする画面の一例であり、図１１は、パーソナルコンピュータ２００に組み込まれている布帛印刷装置１用のプリンタドライバのメニュー画面における、複数記憶されている位置決め情報から使用する位置決め情報を選択する画面の一例である。
【００５４】
図９に示すフローチャートを参照して、パーソナルコンピュータ２００で行われる印刷データの作成処理について説明する。まず、布帛に印刷すべき画像データを編集する画像データ編集処理が行われる（Ｓ１１）。この画像データ編集処理は、市販の画像データ編集ソフトを用いて行われ、作成された画像データは、ＨＤＤ２５０の画像データ記憶エリア２５３に記憶される。画像データ編集ソフトにて、印刷する画像データの編集が完了し、印刷が指示されると（Ｓ１２：ＹＥＳ）、次に、印刷指示画面でプリンタのプロパティが選択された場合（ドライバの設定が選択された場合）には（Ｓ１３：ＹＥＳ）、ドライバの設定処理が行われる（Ｓ１４）。ドライバの設定処理では、使用者が、位置決め情報の印刷を希望する場合には、図１０に示す、プリンタドライバのメニュー画面の位置決め情報の印刷設定画面で、プリント位置決め情報のプリントを行う「ｌａｙｏｕｔ  ｄａｔａ  ｐｒｉｎｔ」の欄にチェックを入れる（Ｓ１４）。この情報は、プログラム実行時情報記憶エリア２３３に「プリント位置決め情報プリント」のフラグがＯＮとして記憶される。次いで、図１１に示す、プリンタドライバのメニュー画面における、複数表示されている位置決め情報から使用する位置決め情報を選択する画面で、使用者が使用する位置決め情報を選択し、当該画面の「Ｐｒｉｎｔ」ボタンをクリックすると、使用する位置決め情報の選択が確定され、ＨＤＤ２５０のプログラム記憶エリア２５１（図８参照）に複数記憶されている位置決め情報から選択された位置決め情報が読み出され、ＲＡＭ２３０のプログラム実行時情報記憶エリア２３３に記憶される（Ｓ１４）。
【００５５】
尚、印刷指示画面で、ドライバの設定が選択されない場合、即ち、プリンタのプロパティが選択されずに、印刷指示がなされた場合（Ｓ１３：ＮＯ）と、印刷指示画面で、プリンタのプロパティが選択され、ドライバの設定が選択され（Ｓ１３：ＹＥＳ）、ドライバの設定が終了した場合（Ｓ１４）には、次いで、プリンタドライバのメニュー画面の位置決め情報の印刷設定画面で、位置決め情報にチェックが入っているか否かが判定される（Ｓ１５）。この判定は、ＲＡＭ２３０のプログラム実行時情報記憶エリア２３３に記憶されている「プリント位置決め情報プリント」のフラグがＯＮか否かを判定することで行う。ＲＡＭ２３０のプログラム実行時情報記憶エリア２３３に記憶されている「プリント位置決め情報プリント」のフラグがＯＮならば（Ｓ１５：ＹＥＳ）、画像データの色の吐出割合の設定をシアン：０％、マゼンタ：３０％、イエロー：０％、黒：０％に設定して、ＲＡＭ２３０のプログラム実行時情報記憶エリア２３３に記憶されている「位置決め情報」が疑似階調処理で２値化され（Ｓ１９）、当該２値化された画像データが布帛印刷装置１へ送信される（Ｓ２０）。尚、ここで、マゼンタ：３０％とは、印刷する箇所の面積の３０％にマゼンタのインク滴を吐出することを意味する。従って、他の色が０％とは、全くインク滴が吐出されないことを意味する。
【００５６】
尚、ＲＡＭ２３０のプログラム実行時情報記憶エリア２３３に記憶されている「プリント位置決め情報プリント」のフラグがＯＦＦならば（Ｓ１５：ＮＯ）、シート状部材５０上に位置決め情報の印刷が行われないので、画像データ編集処理（Ｓ１１）で作成され、ＨＤＤ２５０の画像データ記憶エリア２５３に記憶されている画像データをＨＤＤ２５０のプログラム関係情報記憶エリアに記憶されるカラーマッチング用プロファイルを参照して（Ｓ１６）、ＲＧＢデータからなる画像データを印刷に使用されるインク用のＣＭＹＫのデータに変換する墨生成処理が行われる（Ｓ１８）。次いで、ＣＭＹＫのデータが疑似階調処理で２値化され（Ｓ１９）、当該２値化された画像データが印刷データとして布帛印刷装置１へ送信される（Ｓ２０）。布帛印刷装置１では、受信した印刷データがＲＡＭ１３０の受信印刷データ記憶エリア１３１に記憶される。
【００５７】
次に、図１２を参照して、布帛印刷装置１で行われる印刷処理について説明する。図１２は、布帛印刷装置１で行われる印刷処理のフローチャートである。パーソナルコンピュータ２００から印刷データを受信した布帛印刷装置１では、印刷ボタン１８２（図２参照）が押下されない場合には（Ｓ３１：ＮＯ）、印刷ボタン１８２が押下されるまで待機する。このようにしているのは、布帛印刷装置１では、通常の紙に印刷するプリンタと異なりＴシャツ等の布帛に画像を印刷するために、印刷データの受信と同時に印刷が開始されると、布帛がプラテン５上の適切な位置に固定されていない場合には、布帛上で意図しない場所に印刷データが印刷されて布帛が無駄になってしまうが、Ｔシャツやトレーナー等の布帛は紙に比べて高価だからである。
【００５８】
印刷ボタン１８２が押下された場合には（Ｓ３１：ＹＥＳ）、支持部であるプラテン５を印刷位置まで移動する（Ｓ３２）。このときに、光電子センサ１８１によりプラテン５上の反射光を検出する。
【００５９】
ここで、図１３及び図１４を参照して、光電子センサ１８１によるシート状部材５０の検出について説明する。図１３は、白色のシート状部材５０をプラテン５上に設置した状態を示す平面図であり、図１４は、白色のシート状部材５０をプラテン５上に設置していない状態を示す平面図である。図１３に示すように、白色のシート状部材５０をプラテン５上に設置した状態では、図１２に示すＳ３２でプラテン５を印刷位置まで移動する時に、図１４に示す白色のシート状部材５０をプラテン５上に設置していない状態に比べて、光電子センサ１８１では、光の検出量が大きくなる。この検出値がＲＡＭ１３０のシート状部材検出情報記憶エリア１３４に記憶される（Ｓ３２）。
【００６０】
次いで、ＲＡＭ１３０の受信印刷データ記憶エリア１３１（図５参照）に記憶された受信した印刷データが位置決め情報か否かが判断される（Ｓ３３）。位置決め情報である場合には（Ｓ３３：ＹＥＳ）、シート状部材５０がプラテン５の上に設置済みか否かが判定される（Ｓ３４）。この判定は、光電子センサ１８１により検出され、ＲＡＭ１３０のシート状部材検出情報記憶エリア１３４に記憶されている光電子センサ１８１からの検出値が、所定の基準値よりも大きい場合に、シート状部材５０がプラテン５の上に設置済みと判定されて（Ｓ３４：ＹＥＳ）、位置決め情報がシート状部材５０上に印刷される（Ｓ３６）。尚、ＲＡＭ１３０のシート状部材検出情報記憶エリア１３４に記憶されている光電子センサ１８１からの検出値が、所定の基準値未満の場合に、シート状部材５０がプラテン５の上に設置されていないと判定されて（Ｓ３４：ＮＯ）、「Ｓｅｔ  Ｐｌａｔｅｎ  Ｓｈｅｅｔ」との警告がディスプレイ１７５上に表示される（Ｓ３５）。尚、Ｓ３３で、受信した印刷データが位置決め情報でないと判断された場合には（Ｓ３３：ＮＯ）、その印刷データは、通常印刷の印刷データであるのでそのまま布帛に印刷することになる（Ｓ３６）。上記「所定の基準値」は、予め、光電子センサ１８１を用いて、シート状部材５０の表面からの反射光と、シート状部材５０の設けられていないプラテン５の表面からの反射光とを測定して、シート状部材５０の有無を識別できる基準値を定めて、ＲＯＭ１２０のプログラム関係情報記憶エリア１２２に記憶しておき、この値がＳ３４の判断で使用される。
【００６１】
次に、図１５乃至図１７を参照して、シート状部材５０上に印刷される位置決め情報の例について説明する。図１５は、汎用である第１の位置決め情報「Ｒｅｇｕｌａｒ  ｉｍａｇｅ」の印刷後の平面図であり、図１６は、布帛がＴシャツやシャツの場合に、胸の位置や胸ポケットの位置に印刷するワンポイントマークが有る場合に使用する第２の位置決め情報「Ｃｈｅｓｔ  ＆  Ｐｏｃｋｅｔ」の印刷後の平面図であり、図１７は、布帛がＴシャツやシャツの場合に背中の上又は首の下用に使用する第３の位置決め情報「Ｂａｃｋ  ｓｈｏｕｌｄｅｒ」の印刷後の平面図である。
【００６２】
まず、第１の位置決め情報について説明する。図１５に示すように、第１の位置決め情報「Ｒｅｇｕｌａｒ  ｉｍａｇｅ」では、四角形の囲み線の中に、上下方向に２インチ間隔で横線を引き、１０インチ、１２インチ、１４インチを表示し、中央に縦線を引き、当該中央の縦線から左右方向に３．５インチの間隔を開けて縦線を引き、当該中央の縦線から左右方向に５インチの間隔を開けて縦線を引いたものである。印刷色は、マゼンタインク３０％を用いた。この縦横の線は、布帛と印刷データの画像との任意の位置合わせに使用できるものである。
【００６３】
次に、第２の位置決め情報について説明する。図１６に示すように、第２の位置決め情報「Ｃｈｅｓｔ  ＆  Ｐｏｃｋｅｔ」では、四角形の囲み線の中央に、上下方向に縦線を引き、「Ｓ」と表示し、縦線から右に所定間隔開けて、「Ｍ」と表示した縦線、「Ｌ」と表示した縦線、「ＸＬ」と表示した縦線、「２ＸＬ」と表示した縦線を引いた。また、左の下部に４インチ×１５インチの囲み線を引き、「４”×１５”ｔｏｐ」と表示した。４インチ×１５インチの囲み線は、シャツの胸に付く、ワインポイントマークの位置を示す囲みである。尚、「Ｓ」，「Ｍ」，「Ｌ」，「ＸＬ」，「２ＸＬ」は、各々シャツのサイズを示すものであり、その所定間隔は、予め印刷対象の布帛のサイズに合わせて位置決めをして決定されているものである。その使用方法は、後述する。
【００６４】
次に、第３の位置決め情報について説明する。図１７に示すように、第３の位置決め情報「Ｂａｃｋ  ｓｈｏｕｌｄｅｒ」では、四角形の囲み線の中央に、上下方向に縦線を引き、その下部に４インチ×１．５インチの囲み線を引き、「４”×１．５”」と表示し、また、７インチ×２．５インチの囲み線を引き、「７”×２．５”」と表示したものである。この４インチ×１．５インチ及び７インチ×２．５インチの囲み線は、シャツの背中の上や首の下に印刷するロゴやネームタグの位置を示すものである。
【００６５】
次に、図１８及び図１９を使用して、第２の位置決め情報「Ｃｈｅｓｔ  ＆  Ｐｏｃｋｅｔ」を印刷したシート状部材５０を備えたプラテン５への布帛の一例としてのＴシャツの位置合わせについて説明する。図１８は、第２の位置決め情報を印刷したシート状部材５０を備えたプラテン５へのＳサイズのＴシャツの位置合わせを示す平面図であり、図１９は、第２の位置決め情報を印刷したシート状部材５０を備えたプラテン５へのＸＬサイズのＴシャツの位置合わせを示す平面図である。
【００６６】
Ｔシャツの大人用の物には、一般にＳ，Ｍ，Ｌ，ＸＬ，２ＸＬ等がある。例えば、Ｈａｎｅｓ（登録商標）社製のＢｅｅｆｙ−Ｔ（登録商標）５１８０タイプでは、幅×長さは、Ｓサイズで１８インチ×２７インチ、Ｍサイズで２０インチ×２９インチ、Ｌサイズで２２インチ×３０インチ、ＸＬサイズで２４インチ×３１インチ、２ＸＬサイズで２６インチ×３１．５インチである。ここで、図１８を参照して、シート状部材５０を備えたプラテン５にＳサイズのＴシャツを位置合わせする場合を説明する。この場合には、ＳサイズのＴシャツの前面の中心線をプラテン５に設置されたシート状部材５０上に印刷された第２の位置決め情報「Ｃｈｅｓｔ  ＆  Ｐｏｃｋｅｔ」のＳの縦線に合わせ、Ｔシャツの肩のラインがプラテン５の下端部に沿うようにする。このように位置合わせすることにより、プラテン５にＳサイズのＴシャツの位置合わせが正しく行われる。尚、シート状部材５０の４インチ×１．５インチの囲み線は、胸に印刷するワンポイントマークの印刷位置を指示するためのガイドである。実際には、Ｔシャツのサイズが大きくなるとワンポイントマークの印刷位置も下（裾）方向へ移動させたほうがバランスがよい。よって、見やすさを考えて、印刷データを作る際に”ｔｏｐ”の位置にガイドを示している。
【００６７】
次に、図１９を参照して、シート状部材５０を備えたプラテン５にＸＬサイズのＴシャツを位置合わせする場合について説明する。この場合には、ＸＬサイズのＴシャツの前面の中心線をプラテン５に設置されたシート状部材５０上に印刷された第２の位置決め情報「Ｃｈｅｓｔ  ＆  Ｐｏｃｋｅｔ」のＸＬの縦線に合わせ、Ｔシャツの肩のラインがプラテン５の下端部に沿うようにする。このように位置合わせすることにより、プラテン５にＸＬサイズのＴシャツの位置合わせが正しく行われる。尚、他のサイズのＴシャツ同様、シート状部材５０の４インチ×１．５インチの囲み線は、胸に印刷するワンポイントマークの印刷位置を指示するためのガイドである。このように、Ｔシャツの位置決めをする際に中心位置だけをずらせば、上記に記載のＳサイズのＴシャツでも、ＸＬサイズのＴシャツでも、同一のワンポイントマークのガイドで的確に印刷位置を指示することができる。
【００６８】
以上説明したように上記第１の実施の形態の布帛印刷装置１では、プリンタドライバの設定画面により、シート状部材５０への位置決め情報の印刷を設定することができる。また、プラテン５に固定されるシート状部材５０にＴシャツ等の布帛のサイズに応じた位置決めのガイドとなる複数のラインが印刷されるので、使用者は容易にＴシャツ等の布帛を該当するサイズのラインに合わせて設置するだけでプラテン５に対して正しい位置に設置することができる。
【００６９】
次に、本発明の第２の実施の形態について説明する。本発明の第２の実施の形態では、上記第１の実施の形態と布帛印刷装置１及びパーソナルコンピュータ２００の機械的構造は同一であるが、第１の実施の形態と異なり、布帛印刷装置１のＲＯＭ１２０の位置決め情報記憶エリア１２３にシート状部材５０に印刷される位置決め情報が複数記憶され、印刷する位置決め情報の選択が布帛印刷装置１で行われる点が特徴となっている。
【００７０】
以下、図２０及び図２１を参照して、第２の実施の形態の布帛印刷装置１における位置決め情報の印刷処理について説明する。図２０は、第２の実施の形態の布帛印刷装置１における位置決め情報の印刷処理のフローチャートであり、図２１は、布帛印刷装置１の操作パネル２８における位置決め情報の選択画面である。
【００７１】
第２の実施の形態の布帛印刷装置１で、メニューボタン１８４が押下されると（Ｓ４１：ＹＥＳ）、ディスプレイ１７５にメニュー選択の画面（図示外）が表示される（Ｓ４２）。ここで、上矢印ボタン１８５、下矢印ボタン１８６及びＯＫボタン１８７が使用されて「位置決め情報の選択」が指定されると（Ｓ４３：ＹＥＳ）、ディスプレイ１７５に、図２１に示す位置決め情報の選択画面が表示される（Ｓ４４）。尚、位置決め情報の選択以外の他の処理が指定されると（Ｓ４３：ＮＯ、Ｓ４５：ＹＥＳ）、当該他の処理が行われる（Ｓ４６）。
【００７２】
「位置決め情報の選択」が指定された場合には（Ｓ４３：ＹＥＳ）、図２１に示す位置決め情報の選択画面が表示され（Ｓ４４）、使用者が、上矢印ボタン１８５又は下矢印ボタン１８６を利用して使用する位置決め情報を選択し（Ｓ４７）、ＯＫボタン１８７が押下されて確定されると（Ｓ４８：ＹＥＳ）、選択された位置決め情報がＲＯＭ１２０の位置決め情報記憶エリア１２３からＲＡＭ１３０の印刷中データ記憶エリア１３２に読み込まれる（Ｓ４９）。その後、印刷ボタン１８２が押下されると（Ｓ５０）、支持部であるプラテン５が印刷位置まで移動される（Ｓ５１）。このときに、光電子センサ１８１によりプラテン５上の反射光が検出され、その検出値がＲＡＭ１３０のシート状部材検出情報記憶エリア１３４に記憶される（Ｓ５１）。
【００７３】
次に、シート状部材５０がプラテン５の上に設置済みか否かが判定される（Ｓ５２）。この判定は、光電子センサ１８１により検出され、ＲＡＭ１３０のシート状部材検出情報記憶エリア１３４に記憶されている光電子センサ１８１からの検出値が、前記所定の基準値よりも大きい場合に、シート状部材５０がプラテン５の上に設置済みと判定されて、位置決め情報がシート状部材５０上に印刷される（５３）。尚、ＲＡＭ１３０のシート状部材検出情報記憶エリア１３４に記憶されている光電子センサ１８１からの検出値が、所定の基準値未満の場合に、シート状部材５０がプラテン５の上に設置されていないと判定されて（Ｓ５２：ＮＯ）、「Ｓｅｔ  Ｐｌａｔｅｎ  Ｓｈｅｅｔ」との警告がディスプレイ１７５上に表示され（Ｓ５４）、Ｓ５０の判断処理に戻る。
【００７４】
以上説明したように上記第２の実施の形態の布帛印刷装置１では、布帛印刷装置１の操作パネル２８により、シート状部材５０への印刷する位置決め情報の選択及び位置決め情報の印刷の実行ができる。従って、パーソナルコンピュータ２００を使用しなくてもシート状部材５０へ選択した位置決め情報の印刷を行うことができる。また、プラテン５に固定されるシート状部材５０には、Ｔシャツ等の布帛のサイズに応じた位置決めのガイドとなる複数のラインが印刷されるので、使用者は容易にＴシャツ等の布帛を該当するサイズのラインに合わせて設置するだけでプラテン５に対して正しい位置に設置することができる。
【００７５】
尚、本発明は、以上詳述した実施の形態に限定されるものではなく、種々の変更が可能である。例えば、位置決め情報は、上記第１乃至第３の位置決め情報に限られず、各種のものが使用可能である。また、使用者が、位置決め情報を作成しても良い。また、布帛印刷装置とパーソナルコンピュータをつなぐ手段として、ＵＳＢケーブル以外にも、布帛印刷装置側にフロッピー（登録商標）ディスクや記録メディアのドライバを設けて、メディアの読み出しを行ってもよい。
【産業上の利用可能性】
【００７６】
本発明の布帛印刷装置は、上記実施の形態のようなインクジェット式のプリンタに限らず、カラー印刷を行う複写機やファクシミリにも適応可能である。
【図面の簡単な説明】
【００７７】
【図１】布帛印刷装置１の全体的な構成を示した斜視図である。
【図２】操作パネル２８の平面図である。
【図３】布帛印刷装置１の電気的構成を示すブロック図である。
【図４】ＲＯＭ１２０の記憶エリアを示す概念図である。
【図５】ＲＡＭ１３０の記憶エリアを示す概念図である。
【図６】パーソナルコンピュータ２００の電気的構成を示すブロック図である。
【図７】パーソナルコンピュータ２００のＲＡＭ２３０の概念図である。
【図８】パーソナルコンピュータ２００のハードディスクドライブ２５０の記憶エリアの概念図である。
【図９】パーソナルコンピュータ２００で行われる画像データの作成から布帛印刷装置１への画像データの送信までの処理を示すフローチャートである。
【図１０】パーソナルコンピュータ２００に組み込まれている布帛印刷装置１用のプリンタドライバのメニュー画面の位置決め情報の印刷設定をする画面の一例である。
【図１１】パーソナルコンピュータ２００に組み込まれている布帛印刷装置１用のプリンタドライバのメニュー画面の複数記憶されている位置決め情報から使用する位置決め情報を選択する画面の一例である。
【図１２】布帛印刷装置１で行われる印刷処理のフローチャートである。
【図１３】白色のシート状部材５０をプラテン５上に設置した状態を示す平面図である。
【図１４】白色のシート状部材５０をプラテン５上に設置していない状態を示す平面図である。
【図１５】汎用である第１の位置決め情報「Ｒｅｇｕｌａｒ  ｉｍａｇｅ」の印刷後の平面図である。
【図１６】布帛がＴシャツ等のシャツの場合に、胸にワンポイントマークやポケットが有る場合に使用する第２の位置決め情報「Ｃｈｅｓｔ  ＆  Ｐｏｃｋｅｔ」の印刷後の平面図である。
【図１７】布帛がＴシャツ等のシャツの場合に背中の上又は首の下用に使用する第３の位置決め情報「Ｂａｃｋ  ｓｈｏｕｌｄｅｒ」の印刷後の平面図である。
【図１８】第２の位置決め情報を印刷したシート状部材５０を備えたプラテン５へのＳサイズのＴシャツの位置合わせを示す平面図である。
【図１９】第２の位置決め情報を印刷したシート状部材５０を備えたプラテン５へのＸＬサイズのＴシャツの位置合わせを示す平面図である。
【図２０】第２の実施の形態の布帛印刷装置１における位置決め情報の印刷処理のフローチャートである。
【図２１】布帛印刷装置１の操作パネル２８における位置決め情報の選択画面である。
【符号の説明】
【００７８】
１    布帛印刷装置
５    プラテン
２０    キャリッジ
２１ａ  ブラックインク用インクジェットヘッド
２１ｂ  シアンインク用インクジェットヘッド
２１ｃ  マゼンタインク用インクジェットヘッド
２１ｄ  イエローインク用インクジェットヘッド
２８  操作パネル
５０  シート状部材
１１０  ＣＰＵ
１２０  ＲＯＭ
１２３  位置決め情報記憶エリア
１３０  ＲＡＭ
１６０  ＵＳＢインターフェース
２００  パーソナルコンピュータ
２１０  ＣＰＵ
２５０  ハードディスクドライブ
【図１】
0004696955.tif 000002
【図２】
0004696955.tif 000003
【図３】
0004696955.tif 000004
【図４】
0004696955.tif 000005
【図５】
0004696955.tif 000006
【図６】
0004696955.tif 000007
【図７】
0004696955.tif 000008
【図８】
0004696955.tif 000009
【図９】
0004696955.tif 000010
【図１０】
0004696955.tif 000011
【図１１】
0004696955.tif 000012
【図１２】
0004696955.tif 000013
【図１３】
0004696955.tif 000014
【図１４】
0004696955.tif 000015
【図１５】
0004696955.tif 000016
【図１６】
0004696955.tif 000017
【図１７】
0004696955.tif 000018
【図１８】
0004696955.tif 000019
【図１９】
0004696955.tif 000020
【図２０】
0004696955.tif 000021
【図２１】
0004696955.tif 000022